(57)【要約】      （修正有）【課題】コンクリートブロック装置に関し、色合いの異なる複数のブロック原材料を任意に配合可能とすることにより、表面に多彩な色合いを任意に有するブロックの製造を可能にするブロック成形装置を提供する。【解決手段】異なる色合いを有するブロックの原材料を入れた複数台の材料供給ホッパー１と、該材料供給ホッパーの下方に設置される配合コンベア２と、該配合コンベアのブロック原材料払い出し部８の下方に交差する搬送コンベア３を有し、該配合コンベアが前後に移動可能な機能を有することにより、前記搬送コンベアの任意の位置にブロック原材料を供給可能であることを特徴とするブロック成形装置。【選択図】図１
0003135515.tif 000002
【実用新案登録請求の範囲】
【請求項１】
ブロックの原材料を入れた複数台の材料供給ホッパーと、該材料供給ホッパーの下方に設置される配合コンベアと、該配合コンベアのブロック原材料払い出し部の下方に交差する搬送コンベアを有し、該配合コンベアが前後に移動可能な機能を有することにより、前記搬送コンベアの任意の位置にブロック原材料を供給可能であることを特徴とするブロック成形装置。
【請求項２】
前記配合コンベアが、シリンダー又はモータによる駆動機器によりガイドレール上を移動して前進後退することを特徴とする請求項１に記載のブロック成形装置。
【請求項３】
前記複数台の材料供給ホッパーに異なる色合いを有するブロックの原材料を入れたことを特徴とする請求項１又は２に記載のブロック成形装置。
【考案の詳細な説明】
【技術分野】
【０００１】
本考案はコンクリートブロック成形装置に関し、より詳しくは、表面に多彩な色合いを有する表面を持つブロックの成形を可能としたブロック成形装置に関する。
【背景技術】
【０００２】
一般にコンクリートブロックには、表面が美滑でかつ高強度であることが要求されるが、更に、表面に多彩な配色を有するブロックのように、美的な建材としての利用が可能であることも要求されている。このようなニーズに対応するブロックを成形することを試みた装置としては以下のようなものが知られている。
【０００３】
例えば、図２に示す装置は、ブロックの原材料を入れた複数台の材料供給ホッパー１が一列に配列し、その下方に材料供給ホッパー１の配列と平行に設置された搬送コンベア３を有することにより、多色のブロック原材料を混錬することを可能とした装置である。しかし、このシステムだと搬送コンベア３上に直接原材料を供給するので、ブロック成形用ホッパー４内では異色原材料が積層状態となる為、ブロックの表面に現れる模様は画一的な堆積模様となる。
【０００４】
また図３に示す装置は、ブロックの原材料を入れた複数台の材料供給ホッパー１と、該材料供給ホッパー１の下方に固定された払い出しコンベア９と、その下方に交差する搬送コンベア３を有する装置である。しかし、このシステムでは払い出しコンベア９の位置が固定されているため、搬送コンベア３上で異色の原材料が縞状か積層状となってブロック成形用ホッパー４内に供給されるので、やはりブロックの表面に現れる模様は画一的なものとなる。（特許文献１、特許文献２参照）
このように、従来の技術だと色合いの異なる原材料を任意に配合することが出来ないという問題点があった。
【特許文献１】特許第２６８９９６３号
【特許文献２】特許第２６８９９６２号
【考案の開示】
【考案が解決しようとする課題】
【０００５】
本考案は、上記問題点を解決すべく、色合いの異なる複数のブロック原材料を任意に配合可能とすることにより、表面に多彩な色合いを任意に有するブロックの製造を可能にする装置を提供することを課題とする。
【課題を解決するための手段】
【０００６】
本考案者は鋭意検討を重ねた結果、複数個の材料供給ホッパーと、該材料供給ホッパーの下方に前進後退可能な機能を有する配合コンベアを設ける事が有効であることを見出し、本考案を完成させた。すなわち、本考案は、以下の構成を採用する。
（１）ブロックの原材料を入れた複数台の材料供給ホッパーと、該材料供給ホッパーの下方に設置される配合コンベアと、該配合コンベアのブロック原材料払い出し部の下方に交差する搬送コンベアを有し、該配合コンベアが前後に移動可能な機能を有することにより、前記搬送コンベアの任意の位置にブロック原材料を供給可能であることを特徴とするブロック成形装置である。
（２）上記配合コンベアが、シリンダー又はモータによる駆動機器によりガイドレール上を移動して前進後退することを特徴とする上記（１）に記載のブロック成形装置である。（３）前記複数台の材料供給ホッパーに異なる色合いを有するブロックの原材料を入れたことを特徴とする上記（１）又は（２）に記載のブロック成形装置である。
【考案の効果】
【０００７】
本考案に係るブロック原材料配合及び搬送装置により、色合いの異なる原材料を任意に配合することが可能となり、表面に多彩な色合いを任意に有する、積層状、縞状又は斑模様等のブロックの製造が可能となる。
【考案を実施するための最良の形態】
【０００８】
以下、本考案を図面に基づいて説明する。なお、従来の装置と同様の機能を有する部材には従来技術の装置を示す図２及び図３と同一の符号を付して説明をする。
図１は本考案に係るブロック成形装置を示す図であり、異なる色のブロックの原材料を供給する複数台の材料供給ホッパー１と、該材料供給ホッパー１の下方に設置される配合コンベア２と、該配合コンベア２のブロック原材料払い出し部８の下方に交差する搬送コンベア３を有し、該配合コンベア２が前後に移動可能な機能を有していることを特徴としている。このため配合コンベア２上のブロック原材料払い出し部８の位置を任意に調整でき、搬送コンベア３の任意の位置へとブロックを供給することが可能となる。これにより、ブロックの各色の配合量を任意に調整することが可能となる。
【０００９】
具体的には、配合コンベア２をガイドレー７上に搭載し、更に搬送コンベアと逆側の端部に駆動機器６を設置して、該駆動機器６により配合コンベア２を前後に移動させる。駆動機器６を断続的又は連続的に稼働させて配合コンベア２の移動を前進から後退に反転させる位置（停止位置）を任意に調整することにより、ブロック原材料払い出し部８の位置を任意に決定することが可能となる。これにより搬送コンベア３の任意の位置へブロック原材料を供給することができ、積層状、縞状又は斑模様のブロックを製造すること可能となる。なお、配合コンベア２の移動は、予め配合コンベア２を移動させてブロック原材料払い出し部８の位置を決定させてからブロック成形装置を稼働してもよいし、ブロック成形装置の稼働中に行ってもよい。
【００１０】
図２に、本考案に係るブロック成形装置の一例の右側面図（部分拡大図）を示す。配合コンベア２は、例えば車輪等を介してガイドレール７に吊下げることにより、駆動機器６によって前後（図２中の矢印方向）に移動させることができる。これによってブロック原材料払い出し部８の位置を任意に調整することが可能となり、搬送コンベア３上の任意の位置へのブロック原材料の供給が可能となる。
駆動機器６はシリンダー又はモータ等が利用可能であり、連続的に稼働させてもよく、又は断続的に稼働させてもよい。
【００１１】
各配合コンベア２から搬送コンベア３上の任意の位置へと払い出された各ブロックは、搬送コンベア３上で相互に積層又は混合等されながら成形用ホッパー４へと搬送され、最終的に成形機５で表面に多彩な色合いを有するブロックへと成形される。
【００１２】
本考案に係る装置において、各配合コンベア２のブロック原材料払い出し部８の位置を、搬送コンベア３上で上流側から下流側まで同一にしてブロック成形装置を稼働させれば積層状のブロックを製造することができる。また、該ブロック原材料払い出し部８の位置を、搬送コンベア３上において上流側から下流側まで段階的にずらしてブロック成形装置を稼働させれば縞状のブロックが成形される。
さらに、搬送コンベア３上において上流側から下流側までのブロック原材料払い出し部８の位置を相互にずらしながら、各配合コンベア２を連続的又は断続的に前後に移動させることにより斑模様のブロックを成形することができる。
【図面の簡単な説明】
【００１３】
【図１】本考案に係るブロック成形装置の一例を示す図である（Ａは平面図であり、Ｂは正面図である）。
【図２】本考案に係るブロック成形装置の右側面図の部分拡大図である。
【図３】従来のブロック成形装置の一例を示す図である（Ａは平面図であり、Ｂは正面図である）。
【図４】従来のブロック成形装置の別の一例を示す図である（Ａは平面図であり、Ｂは正面図である）。
【符号の説明】
【００１４】
１・・・材料供給ホッパー
２・・・配合コンベア
３・・・搬送コンベア
４・・・成形用ホッパー
５・・・成形機
６・・・駆動機器
７・・・ガイドレール
８・・・ブロック原材料払い出し部
９・・・払い出しコンベア
【図１】
0003135515.tif 000003
【図２】
0003135515.tif 000004
【図３】
0003135515.tif 000005
【図４】
0003135515.tif 000006